(57)【要約】      （修正有）【課題】使い勝手の良好なネイルアートスケッチ用シートを提供する。【解決手段】筆記具で書き込み可能な紙製のシート体３に、人間の爪を模した略楕円形状若しくは略矩形状の爪様輪郭線５が、周囲に余白６を有するようにして、印刷されている。【選択図】図１
2014087981.tif 000002
【特許請求の範囲】
【請求項１】
筆記具で書き込み可能な紙製のシート体に、人間の爪を模した略楕円形状若しくは略矩形状の爪様輪郭線が、周囲に余白を有するようにして、印刷されていることを特徴とするネイルアートスケッチ用シート。
【請求項２】
前記シート体が、大きさを、官製ハガキ大とされていることを特徴とする請求項１に記載のネイルアートスケッチ用シート。
【請求項３】
前記爪様輪郭線が、長軸を前記シート体の短手方向に略沿わせるようにして、前記シート体の略中央に、１個印刷されていることを特徴とする請求項１又は２に記載のネイルアートスケッチ用シート。
【請求項４】
前記爪様輪郭線が、長軸を前記シート体の長手方向に略沿わせるとともに、前記シート体の長手方向に略沿って直列的に配置させるようにして、前記シート体に３個印刷されていることを特徴とする請求項１又は２に記載のネイルアートスケッチ用シート。
【請求項５】
前記爪様輪郭線が、長軸を前記シート体の短手方向に略沿わせるとともに、前記シート体の長手方向に略沿って並列的に配置させるようにして、前記シート体に５個印刷されていることを特徴とする請求項１又は２に記載のネイルアートスケッチ用シート。
【請求項６】
請求項１乃至５のいずれか１項に記載の前記ネイルアートスケッチ用シートを多数積層させ、一つの縁部側を接着剤によって相互に接着させるとともに、台紙及び表紙を一体化させて形成されることを特徴とするネイルアートスケッチ用メモパッド。
【発明の詳細な説明】
【技術分野】
【０００１】
本発明は、ネイルアートのデザイン等をスケッチしたり、メモしたりする際に使用するネイルアートスケッチ用シートに関する。
【背景技術】
【０００２】
従来、メイクアップレッスン用のノートとしては、顔のイラストをあらかじめ印刷したシート体として、ヘアメイクデザインを自由に書き込み可能なものがあった（例えば、特許文献１参照）。
【先行技術文献】
【特許文献】
【０００３】
【特許文献１】実用新案登録第３１２８２６２号
【発明の概要】
【発明が解決しようとする課題】
【０００４】
しかしながら、ネイルアート用には上記のようなシート状のものはなく、ネイリストは、ネイルアートのデザインを考える際や、セミナー等で技法を学ぶ際等には、適当なメモ用紙やノート等に、爪を模した略楕円形状等の輪郭線をフリーハンドで描いた上に、デザインやメモ書きを書き込んでいた。そのため、まず、このような略楕円形状の輪郭線を描く必要があって、不意にネイルアートのデザインをひらめいた際等に、デザインを咄嗟に描き止め難かった。また、例えば、ネイルアートのデザインを多数描く際等には、このような略楕円形状の輪郭線も、略均一の形として、多数描かねばならず、面倒であった。本発明者は、このような不具合を解消するために、本発明に想到したものである。
【０００５】
本発明は、上述の課題を解決するものであり、使い勝手の良好なネイルアートスケッチ用シートを提供することを目的とする。
【課題を解決するための手段】
【０００６】
本発明に係るネイルアートスケッチ用シートは、筆記具で書き込み可能な紙製のシート体に、人間の爪を模した略楕円形状若しくは略矩形状の爪様輪郭線が、周囲に余白を有するようにして、印刷されていることを特徴とする。
【０００７】
本発明のネイルアートスケッチ用シートでは、紙製のシート体に、人間の爪を模した略楕円形状若しくは略矩形状の爪様輪郭線が、予め印刷されていることから、使用時に爪を模した略楕円形状若しくは略矩形状の輪郭線を描くことが不要となり、いきなりデザインを描いたり、メモをとったりすることができて、不意にネイルアートのデザインをひらめいた際にも、デザインを迅速に描き止めることができる。また、本発明のネイルアートスケッチ用シートでは、爪様輪郭線が、周囲に余白を有するようにして、印刷されていることから、この余白の部分に、メモを記入することができる。例えば、セミナー中には、爪様輪郭線内に、ネイルデザインを描き入れつつ、余白に、技法を細かくメモを記入するような態様で使用できる。また、顧客との打ち合わせ時には、顧客とともに考えながら爪様輪郭線内にネイルデザインを描き入れることができ、余白には、色や、使用するパーツの詳細等を記入することができて、顧客への説明に有用である。
【０００８】
したがって、本発明のネイルアートスケッチ用シートは、使い勝手が良好であり、また、ネイルアートに関することであれば、用途を限られず自由に使用することができる。
【０００９】
また、本発明のネイルアートスケッチ用シートにおいて、シート体の大きさを、官製ハガキ大とすれば、手になじみやすく、メモ用紙のような感覚で気軽に使用することができ、また、気に入ったデザインができた際や、保存しておきたい情報を記入した際等には、ハガキ収納用のクリアファイルに容易に収納して保存することができて、好ましい。
【００１０】
具体的には、上記構成のネイルアートスケッチ用シートにおいて、爪様輪郭線を、長軸をシート体の短手方向に略沿わせるようにして、シート体の略中央に、１個印刷させる構成とすれば、爪様輪郭線を、長さ寸法（長軸側の幅寸法）をシート体の短手方向側の幅寸法より若干小さく設定させるように、大きく配置させることができ、また、爪様輪郭線の左右両側に大きな余白をつくることができることから、例えば、セミナー等で技法を学ぶ際等に、爪様輪郭線内にネイルデザインを詳細に描き入れたり、余白に工程の手順や手法等のメモ書きを多く記入することが可能となり、便利に使用することができて、好ましい。
【００１１】
また、上記構成のネイルアートスケッチ用シートにおいて、爪様輪郭線を、長軸をシート体の長手方向に略沿わせるとともにシート体の長手方向に略沿って直列的に配置させるようにして、シート体に３個印刷させる構成とすれば、指三本分のネイルアートのデザインを並べて表示することができることから、ネイルアートのデザインを考える際等に、中心となる３本の指（人差し指、中指、薬指）の爪のデザインを一体的に考えることができ、また、３個の爪様輪郭線を縦並びに配置させていることから、各爪様輪郭線内に、縦書きの要領で、筆記具をシート体に対して上から下に動かすようにして、デザインを描き入れることができて、頭に浮かんだデザインを迅速に描き止めることができ、好ましい。また、このような構成のネイルアートスケッチ用シートでは、３個の爪様輪郭線を縦並びに配置させることにより、各爪様輪郭線の左右に、メモ用の十分な余白を確保することができる。
【００１２】
さらに、上記構成のネイルアートスケッチ用シートにおいて、爪様輪郭線を、長軸をシート体の短手方向に略沿わせるとともに、シート体の長手方向に略沿って並列的に配置させるようにして、シート体に５個印刷させる構成とすれば、１枚のシート体に、片手の爪のネイルデザインを全て並べることができる。そのため、例えば、ネイルアートのデザインを顧客と相談しつつ決める際に、顧客がデザインを目視できることから、実際のイメージが伝わり易い。また、余白に、色や、使用するパーツの詳細や値段を記入することができることから、顧客に説明し易く、さらに、このように記入しておけば、実際の施術の際の覚書としても使用することもできて、好ましい。また、このような構成のネイルアートスケッチ用シートでは、爪様輪郭線が、略平行となるようにして、５個並設されていることから、シート体を傾けなくとも全ての爪様輪郭線にデザインを描き入れることができ、また、シート体を傾けることなく、一度に５個の全てのデザインを目視することができて、好ましい。
【００１３】
さらにまた上記構成のネイルアートスケッチ用シートを、多数積層させ、一つの縁部側を接着剤によって相互に接着させるとともに、台紙及び表紙を一体化させることにより、ネイルアートスケッチ用メモパッドとすれば、携帯しやすく、また、使用時にも、表紙を開ければ、直接書き込むことができて、一層使い勝手が良好である。特に、大きさを官製ハガキ大としたネイルアートスケッチ用シートをメモパッド状とすれば、使用する際に手で持ちやすく、特に使い勝手が良好となる。
【図面の簡単な説明】
【００１４】
【図１】本発明の一実施形態であるネイルアートスケッチ用シートの平面図である。
【図２】他の実施形態であるネイルアートスケッチ用シートの平面図である。
【図３】さらに他の実施形態であるネイルアートスケッチ用シートの平面図である。
【図４】実施形態のネイルアートスケッチ用シートを積層させて形成したネイルアートスケッチ用メモパッドを示す斜視図である。
【発明を実施するための形態】
【００１５】
以下、本発明の一実施形態を図面に基づいて説明する。図１〜３に、本発明の実施形態であるネイルアートスケッチ用シート１（１Ａ，１Ｂ，１Ｃ）を、示す。
【００１６】
図１〜３に示す各ネイルアートスケッチ用シート１（１Ａ，１Ｂ，１Ｃ）は、筆記具で書き込み可能な紙製のシート体３に、人間の爪を模した略楕円形状の爪様輪郭線５（５Ａ，５Ｂ，５Ｃ）を、周囲に余白６（６Ａ，６Ｂ，６Ｃ）を有するうように、印刷させて、構成されている。
【００１７】
シート体３としては、上質紙等、通常コピー用紙等に使用されるものを使用可能であり、淡色のものであれば、白色に限られるものではない。しかしながら、彩色する場合等を考慮すれば、白色のものを使用することが望ましい。また、実施形態では、シート体３は、大きさを、官製ハガキ大とされている。実施形態では、シート体３として、白色のコピー用紙を官製ハガキ大に裁断したものを使用している。
【００１８】
爪様輪郭線５（５Ａ，５Ｂ，５Ｃ）は、濃色で、シート体３に印刷されている。なお、この爪様輪郭線５（５Ａ，５Ｂ，５Ｃ）も、シート体３の色との濃度差が大きければ、特に色を限定されるものではないが、彩色する場合等を考慮すれば、黒色や濃い灰色等、無彩色で印刷することが望ましい。実施形態では、爪様輪郭線５（５Ａ，５Ｂ，５Ｃ）は、黒色で印刷されている。また、爪様輪郭線５（５Ａ，５Ｂ，５Ｃ）は、長軸と短軸との長さ寸法（幅寸法）の比を、７：４程度に設定された略楕円状として構成され、詳細には、長軸を上下方向に略沿わせて配置させた際に、施術時の爪の方向と同様に、上側を爪の付け根側とし、下側を爪の先端側として、上側の部位の湾曲を小さくし、下側の部位を、中央を下方に突出させるように湾曲を大きくするようにして、爪に近似させた形状とされている。この爪様輪郭線５（５Ａ，５Ｂ，５Ｃ）の形状は、通称「オーバル形」と呼ばれるものである。なお、爪様輪郭線の形状は、オーバル形に限られるものではなく、例えば、略矩形状の「スクウェア形」と呼ばれる形状としてもよい。
【００１９】
そして、各ネイルアートスケッチ用シート１（１Ａ，１Ｂ，１Ｃ）は、このような爪様輪郭線５（５Ａ，５Ｂ，５Ｃ）の大きさと配置数とを変更して、シート体３に印刷することにより、構成されている。以下、各ネイルアートスケッチ用シート１Ａ，１Ｂ，１Ｃについて、詳細に説明する。
【００２０】
図１に示すネイルアートスケッチ用シート１Ａでは、爪様輪郭線５Ａは、長軸をシート体３の短手方向に略沿わせるようにして、シート体３の略中央に、１個印刷されている。すなわち、ネイルアートスケッチ用シート１Ａでは、横置きしたシート体３の左右の略中央に、１つの爪様輪郭線５Ａが、配置されている。実施形態の場合、爪様輪郭線５Ａは、長さ寸法（長軸側の幅寸法）Ｌ１を、シート体３の短手方向側の幅寸法Ｌ２の１／２程度である５ｃｍ程度に設定されて、シート体３における爪様輪郭線５Ａの上下左右の領域が、余白６Ａとされている。
【００２１】
図２に示すネイルアートスケッチ用シート１Ｂでは、爪様輪郭線５Ｂは、長軸をシート体３の長手方向に略沿わせるとともに、シート体３の長手方向に略沿って直列的に配置させるようにして、シート体３に３個印刷されている。すなわち、ネイルアートスケッチ用シート１Ｂでは、縦置きしたシート体３の左右の略中央に、３つの爪様輪郭線５Ｂが、縦並びに配置されている。そして、実施形態の場合、爪様輪郭線５Ｂは、大きさを、上述の爪様輪郭線５Ａの３／５程度の大きさとして、長さ寸法（長軸側の幅寸法）Ｌ３を、３ｃｍ程度に設定されている。そして、シート体３において、各爪様輪郭線５Ｂの左右の領域が、余白６Ｂとされている。
【００２２】
図３に示すネイルアートスケッチ用シート１Ｃでは、爪様輪郭線５Ｃは、長軸をシート体３の短手方向に略沿わせるとともに、シート体３の長手方向に略沿って並列的に配置させるようにして、シート体３に５個印刷されている。すなわち、ネイルアートスケッチ用シート１Ｃでは、横置きしたシート体３の上下の略中央に、５つの爪様輪郭線５Ｃが、横並びに配置されている。実施形態の場合、爪様輪郭線５Ｃは、大きさを、上述の爪様輪郭線５Ａの２／５程度の大きさとして、長さ寸法（長軸側の幅寸法）Ｌ４を、２ｃｍ程度に設定されている。そして、シート体３において、各爪様輪郭線５Ｃの上下の領域が、余白６Ｃとされている。また、この図３に示すネイルアートスケッチ用シート１Ｃでは、左側の余白を大きくするように、爪様輪郭線５Ｃは、左右の中央を、シート体３の左右の中央よりも若干右側にずらすようにして、シート体３に印刷されている。ネイルアートスケッチ用シート１Ｃの左縁側は、後述するごとく、ネイルアートスケッチ用シート１Ｃを多数接着させてメモパッドとする際に、相互に接着される縁部であり、このように相互に接着される縁側の余白を少し大きく設定して、書き込みしやすくするためである。
【００２３】
そして、実施形態の場合、ネイルアートスケッチ用シート１（１Ａ，１Ｂ，１Ｃ）は、図４に示すように、多数積層させた状態で、１つの縁部側を接着剤で相互に接着させるとともに、厚紙からなる台紙１０と、表紙１１と、を一体化させたネイルアートスケッチ用メモパッド９（以下「メモパッド」と省略する）として、使用されるものである。図４に示すメモパッド９では、各ネイルアートスケッチ用シート１（１Ａ，１Ｂ，１Ｃ）は、一方の短辺側を相互に接着されており、詳細には、ネイルアートスケッチ用シート１Ａ，１Ｃを使用する場合には左縁側を、ネイルアートスケッチ用シート１Ｂを使用する場合には上縁側を、それぞれ、相互に接着されることとなる。また、このメモパッド９では、３種類のネイルアートスケッチ用シート１Ａ，１Ｂ，１Ｃのうち、１種類のみが、積層されている。
【００２４】
そして、実施形態のネイルアートスケッチ用シート１（１Ａ，１Ｂ，１Ｃ）では、紙製のシート体３に、人間の爪を模した略楕円形状の爪様輪郭線５（５Ａ，５Ｂ，５Ｃ）が、予め印刷されていることから、使用時に爪を模した略楕円形状の輪郭線を描くことが不要となり、いきなりデザインを描いたり、メモをとったりすることができて、不意にネイルアートのデザインをひらめいた際にも、デザインを迅速に描き止めることができる。また、実施形態のネイルアートスケッチ用シート１（１Ａ，１Ｂ，１Ｃ）では、爪様輪郭線５（５Ａ，５Ｂ，５Ｃ）が、周囲に余白６（６Ａ，６Ｂ，６Ｃ）を有するようにして、印刷されていることから、この余白６（６Ａ，６Ｂ，６Ｃ）の部分に、メモを記入することができる。例えば、セミナー中には、爪様輪郭線５（５Ａ，５Ｂ，５Ｃ）内に、ネイルデザインを描き入れつつ、余白６（６Ａ，６Ｂ，６Ｃ）に、技法を細かくメモを記入するような態様で使用できる。また、顧客との打ち合わせ時には、顧客とともに考えながら爪様輪郭線５（５Ａ，５Ｂ，５Ｃ）内にネイルデザインを描き入れることができ、余白６（６Ａ，６Ｂ，６Ｃ）には、色や、使用するパーツの詳細等を記入することができて、顧客への説明に有用である。
【００２５】
したがって、実施形態のネイルアートスケッチ用シート１（１Ａ，１Ｂ，１Ｃ）は、使い勝手が良好であり、また、ネイルアートに関することであれば、用途を限られず自由に使用することができる。
【００２６】
また、実施形態のネイルアートスケッチ用シート１（１Ａ，１Ｂ，１Ｃ）では、シート体３の大きさを、官製ハガキ大としていることから、手になじみやすく、メモ用紙のような感覚で気軽に使用することができ、また、気に入ったデザインができた際や、保存しておきたい情報を記入した際等には、ハガキ収納用のクリアファイルに容易に収納して保存することができる。勿論、このような点を考慮しなければ、シート体の大きさを官製ハガキ大としなくともよい。
【００２７】
特に、図１に示すネイルアートスケッチ用シート１Ａでは、爪様輪郭線５Ａを、長軸をシート体３の短手方向に略沿わせるようにして、シート体３の略中央に、１個印刷していることから、爪様輪郭線５Ａを、長さ寸法（長軸側の幅寸法）Ｌ１をシート体３の短手方向側の幅寸法Ｌ２より若干小さく設定させるように（実施形態の場合、略１／２）、大きく配置させることができ、また、爪様輪郭線５Ａの左右両側に大きな余白６Ａをつくることができることから、例えば、セミナー等で技法を学ぶ際等に、爪様輪郭線５Ａ内にネイルデザインを詳細に描き入れたり、余白に工程の手順や手法等のメモ書きを多く記入することが可能となり、便利に使用することができる。そのため、セミナーを受ける際等に、好適に使用できる。
【００２８】
図２に示すネイルアートスケッチ用シート１Ｂでは、爪様輪郭線５Ｂを、長軸をシート体３の長手方向に略沿わせるとともにシート体３の長手方向に略沿って直列的に配置させるようにして、シート体３に３個印刷していることから、指三本分のネイルアートのデザインを並べて表示することができて、ネイルアートのデザインを考える際等に、中心となる３本の指（人差し指、中指、薬指）の爪のデザインを一体的に考えることができ、また、３個の爪様輪郭線５Ｂを縦並びに配置させていることから、各爪様輪郭線５Ｂ内に、縦書きの要領で、筆記具をシート体３に対して上から下に動かすようにして、デザインを描き入れることができて、頭に浮かんだデザインを迅速に描き止めることができ、好ましい。また、図２に示すネイルアートスケッチ用シート１Ｂでは、３個の爪様輪郭線５Ｂを縦並びに配置させることにより、各爪様輪郭線５Ｂの左右に、メモ用の十分な余白６Ｂを確保することができる。そのため、ネイルアートのデザインを考える際に、好適に使用できる。
【００２９】
図３に示すネイルアートスケッチ用シート１Ｃでは、爪様輪郭線５Ｃを、長軸をシート体３の短手方向に略沿わせるとともに、シート体３の長手方向に略沿って並列的に配置させるようにして、シート体に５個印刷していることから、１枚のシート体３に、片手の爪のネイルデザインを全て並べることができる。そのため、例えば、ネイルアートのデザインを顧客と相談しつつ決める際に、顧客がデザインを目視できることから、実際のイメージが伝わり易い。また、余白６Ｃに、色や、使用するパーツの詳細や値段を記入することができることから、顧客に説明し易く、さらに、このように記入しておけば、実際の施術の際の覚書としても使用することもできる。また、図３に示すネイルアートスケッチ用シート１Ｃでは、爪様輪郭線５Ｃが、略平行となるようにして、５個並設されていることから、シート体３を傾けなくとも全ての爪様輪郭線５Ｃにデザインを描き入れることができ、また、シート体３を傾けることなく、一度に５個の全てのデザインを目視することができる。そのため、顧客との打ち合わせや実際の施術の際に、好適に使用できる。
【００３０】
さらに、実施形態では、各ネイルアートスケッチ用シート１（１Ａ，１Ｂ，１Ｃ）は、図４に示すように、多数積層させ、一つの縁部側を接着剤によって相互に接着させるとともに、台紙１０及び表紙を一体化させることにより、ネイルアートスケッチ用メモパッド９とされている。そのため、携帯しやすく、また、使用時にも、表紙を開ければ、直接書き込むことができて、一層使い勝手が良好である。特に、実施形態では、ネイルアートスケッチ用シート１（１Ａ，１Ｂ，１Ｃ）の大きさを官製ハガキ大としていることから、メモパッド９を使用する際に手で持ちやすく、特に使い勝手が良好である。具体的には、図４に示すメモパッド９では、各ネイルアートスケッチ用シート１（１Ａ，１Ｂ，１Ｃ）における一方の短辺側が接着されており、特に、ネイルアートスケッチ用シート１Ｂを積層させてメモパッド状とする場合、メモパッドは、ネイルアートスケッチ用シート１Ｂの上縁側を接着させた縦長状となることから、書き込む際に、一層手で把持し易い。なお、実施形態では、３種類のネイルアートスケッチ用シート１Ａ，１Ｂ，１Ｃのうち、１種類のみを積層させて、メモパッド９を構成しているが、これら３種類のネイルアートスケッチ用シート１Ａ，１Ｂ，１Ｃを、複数種類積層させるようにして、メモパッドを構成してもよい。
【００３１】
また、実施形態では、３種類のネイルアートスケッチ用シート１Ａ，１Ｂ，１Ｃを特に詳細に説明しているが、爪様輪郭線５の配置位置、配置数は、実施形態に限られるものではない。
【００３２】
さらに、実施形態のネイルアートスケッチ用シート１Ａ，１Ｂ，１Ｃでは、爪様輪郭線５Ａ，５Ｂ，５Ｃを、長軸を上下方向に略沿わせるように配置させており、爪様輪郭線５Ａ，５Ｂ，５Ｃを上下逆にするように、ネイルアートスケッチ用シート１Ａ，１Ｂ，１Ｃ上下で反転させて、使用してもよい。このようにネイルアートスケッチ用シート１Ａ，１Ｂ，１Ｃを上下で反転させて使用する場合、爪様輪郭線５Ａ，５Ｂ，５Ｃは、爪の先端側となる下側の部位の湾曲がなだらかになり、通称「ラウンド形」と呼ばれる形状に近似することとなる。
【符号の説明】
【００３３】
１（１Ａ，１Ｂ，１Ｃ）…ネイルアートスケッチ用シート、３…シート体、５（５Ａ，５Ｂ，５Ｃ）…爪様輪郭線、６（６Ａ，６Ｂ，６Ｃ）…余白、９…ネイルアートスケッチ用メモパッド、１０…台紙、１１…表紙。
【図１】
2014087981.tif 000003
【図２】
2014087981.tif 000004
【図３】
2014087981.tif 000005
【図４】
2014087981.tif 000006